(57)【要約】【課題】乾燥する植物を収容する乾燥用函体の運搬、傾転、移載を作業機によって行うことを可能にし、一連の乾燥作業を容易に効率よく、また安全に行うことができる植物乾燥装置を提供する。【解決手段】植物乾燥装置を構成する送風用函体１は、一の側板１Ｅにバーナー接続口２が設けてあり、上面にはストッパー８、８が突設してある。送風用函体１の上に脱着可能に搭載する乾燥用函体３は、送風用函体１の上に着脱可能に載置し、前側板４Ａにフォーク挿入穴４Ｅ、４Ｅを形成した支持台４と、内部に乾燥のための植物を収容する乾燥容器５とから構成してある。乾燥容器５は多孔底板５Ａの外縁から４面の側板５Ｂ乃至５Ｅを起立して上方が開放した函状をなしており、乾燥容器５を傾転することにより一の側板５Ｄが開放して乾燥した植物を排出可能にしてある。【選択図】図２
0003168131.tif 000002
【実用新案登録請求の範囲】
【請求項１】
送風用函体と、該送風用函体の上に脱着可能に搭載され、内部に乾燥のための植物を収容する乾燥用函体とからなる植物乾燥装置であって、前記送風用函体は、底板と、該底板の外縁から起立する４面の側板とから上方が開放した函状に形成し、該側板の一面にバーナー接続口を設けた構成からなり、前記乾燥用函体は、作業機との係着部を有し、前記送風用函体の上に着脱可能に載置する支持台と、多孔板からなる底板の外縁から４面の側板を起立して上方が開放し、該一の側板は傾転により開放可能な函状に形成し、前記支持台上に固着した乾燥容器とから構成し、該乾燥用函体は傾転させることにより乾燥した植物を排出可能にしてあることを特徴とする植物乾燥装置。
【請求項２】
前記送風用函体は、前記バーナー接続口に接続するバーナーによって前記乾燥用函体内に熱風及び冷風を選択的に送り込むようにしてある請求項１記載の植物乾燥装置。
【請求項３】
前記乾燥用函体は、一対の組で構成してあることを特徴とする請求項１記載の植物乾燥装置。
【請求項４】
前記送風用函体には、前記乾燥用函体を所定の搭載位置に係止するためのストッパーを設けてあることを特徴とする請求項１記載の植物乾燥装置。
【考案の詳細な説明】
【技術分野】
【０００１】
本考案は、葉たばこ、茶葉、漢方薬草等の採取した葉物、茎等の植物を乾燥するのに用いる植物乾燥装置に関する。
【背景技術】
【０００２】
例えば、生薬の原料である漢方薬草は、採取した状態では水分を多く含んでいるので乾燥する処理が必要である。そこで、従来は通気性のある底面を有し、上方が開放した平型容器にバーナーやファンを固着して構成し、平型容器内に採取した植物を入れ、下方から熱風或いは冷風を送ることにより乾燥する平型乾燥装置が用いられている。また、箱型の缶体内を通気性を有する仕切り板で上側の植物容器と下側の熱源空間に画成し、熱源空間に熱風或いは冷風を送り、上側容器に採取植物を収容するようにした箱型乾燥装置が知られている。
【先行技術文献】
【特許文献】
【０００３】
【特許文献１】特に見出せず
【考案の概要】
【考案が解決しようとする課題】
【０００４】
上述した平型乾燥装置は、平型容器にバーナーやファンを組付けて一体に構成してあり、傾転動作は不可能であるために平型容器内での植物の乾燥むらを解消するためには、乾燥中も人力で攪拌しなければならず、作業効率が悪い、熱風乾燥時は危険であるといった欠点がある。また、平型乾燥装置と箱型乾燥装置は移動が出来ないため、採取した植物やスライサー等で一次加工した植物を一旦可搬性のある容器に入れてから乾燥容器に投入しなければならず、作業効率が悪いし、作業場に移載のためのスペースが必用であるといった欠点がある。
更に、乾燥後の植物を次の粉砕工程等に移送する場合、平型乾燥装置や箱型乾燥装置から排出する作業も人力で行わなければならないという問題がある。
【０００５】
本考案は上述した従来技術の欠点や問題点に鑑みなされたもので、乾燥する植物を収容する乾燥用函体は移動と傾転が可能であるから、作業機を用いることで運搬、攪拌、移載の作業を容易に効率よく、また安全に行うことができる植物乾燥装置を提供することを目的とする。
【課題を解決するための手段】
【０００６】
上述した課題を解決するために構成した本考案は、送風用函体と、該送風用函体の上に脱着可能に搭載され、内部に乾燥のための植物を収容する乾燥用函体とからなる植物乾燥装置であって、前記送風用函体は、底板と、該底板の外縁から起立する４面の側板とから上方が開放した函状に形成し、該側板の一面にバーナー接続口を設けた構成からなり、前記乾燥用函体は、作業機との係着部を有し、前記送風用函体の上に着脱可能に載置する支持台と、多孔板からなる底板の外縁から４面の側板を起立して上方が開放し、該一の側板は傾転により開放可能な函状に形成し、前記支持台上に固着した乾燥容器とから構成し、該乾燥用函体は傾転させることにより乾燥した植物を排出可能にしたものからなる。
【０００７】
そして、前記送風用函体は、前記バーナー接続口に接続するバーナーによって前記乾燥用函体内に熱風及び冷風を選択的に送り込むようにするとよい。
【０００８】
また、前記乾燥用函体は、一対の組で構成してもよい。
【０００９】
更に、前記送風用函体には、前記乾燥用函体を送風用函体上の所定の搭載位置に係止するためのストッパーを設けるとよい。
【考案の効果】
【００１０】
本考案は上述の如く構成したから、下記の諸効果を奏する。
（１）乾燥用函体は送風用函体から分離して運搬と傾転が可能であるから、作業機を用いることで採取した植物を乾燥場所へ運搬し、送風用函体上に搭載し、乾燥中に攪拌し、また次工程へ排出し或いは移載する作業を容易に効率よく、また安全に行うことができる。
（２）送風用函体にバーナーを接続し、乾燥用函体内に熱風及び冷風を選択的に送り込むようにしたから、植物の種類や乾燥目的に応じて熱風乾燥と冷風乾燥を自在に行うことができる。
（３）乾燥用函体は一対の組で構成して各乾燥用函体を小型化することにより、十分な広さが無い作業場でも小型の作業機により個別に乾燥用函体を運搬し、傾転させる乾燥作業が可能である。
（４）送風用函体にストッパーを設けたから、乾燥用函体を送風用函体上の所定の位置に容易に正確に搭載することができる。
【図面の簡単な説明】
【００１１】
【図１】本考案の実施の形態に係る植物乾燥装置の全体構成図である。
【図２】植物乾燥装置の分解斜視図である。
【図３】植物乾燥装置の要部拡大図である。
【図４】乾燥用缶体を傾転させて乾燥物を排出する説明図である。
【考案を実施するための形態】
【００１２】
以下、本考案の実施の形態を図面に基づき詳述する。図において、１は植物乾燥装置を構成する送風用函体を示す。該送風用函体１は、鋼板からなる四角形の底板１Ａと、該底板１Ａの四辺から起立する前側板１Ｂ及び後側板１Ｃと、左側板１Ｄ及び右側板１Ｅと、四隅に設けた脚１Ｆ、１Ｆ、・・とによって上方が開放した函型に形成してあり、対向する前、後側板１Ｂ、１Ｃの上端中央に２本の前後支持材１Ｇ、１Ｇを、左、右側板１Ｄ、１Ｅの上端中央に２本の左右支持材１Ｈ、１Ｈを十字状に架設してある。そして、前記一の右側板１Ｅには、バーナー接続用鍔２Ａを有するバーナー接続口２が形成してある。
【００１３】
３、３は前記送風用函体１の上に着脱可能に搭載する一対の乾燥用函体を示す。４は該各乾燥用函体３を構成する支持台で、該支持台４は前後の側板４Ａ、４Ａと左右の側板４Ｂ、４Ｂを横枠材４Ｃ、４Ｃ、・・及び縦枠材４Ｄ、４Ｄ、・・によって接合することにより、上下が開放した長方形の箱状に形成してあり、前後の側板４Ａ、４Ａには作業機であるフォークリフトのフォークを挿入する一対のフォーク挿入穴４Ｅ、４Ｅが形成してある。
【００１４】
５は前記支持台４上に固設した乾燥容器を示す。該乾燥容器５は長方形の多孔底板５Ａと、横長の前側板５Ｂ及び後側板５Ｃと、左側板５Ｄ及び右側板５Ｅとから上方が開放した箱状に形成してあり、これら多孔底板５Ａと各側板５Ｂ乃至５Ｅは横枠材５Ｆと縦枠材５Ｇによって一体に接合してある。
【００１５】
ここで、前側板５Ｂには植物の乾燥状態を確認するための目視用開口６が形成してあり、該目視用開口は開閉蓋６Ａによって常時は閉塞してある。また、右側板５Ｅは上端を横枠材５Ｆにヒンジ結合することにより上方向に揺動可能になっており、下端側には横方向にスライドして縦枠材５Ｇ、５Ｇに係止するロックピン７Ａを有する一対のロック機構７、７が設けてある。
【００１６】
更に、８、８は前記各乾燥用函体３を送風用函体１上の所定の搭載位置に係止するための一対のストッパーを示す。該ストッパー８、８は略四角形の金属片からなり、送風用函体１の左右支持材１Ｈ、１Ｈ間に上端部８Ａを突出する状態で挿脱可能に挿嵌してある。なお、ストッパー８、８は乾燥用函体３を搭載する向きに合わせて前後支持材１Ｇ、１Ｇ間に挿脱可能に挿嵌してもよい。
【００１７】
次に、上記の構成からなる本実施の形態に係る植物乾燥装置の作用について説明する。先ず、採取した葉物や茎等の植物は直接に、或いはスライサー等による一次加工をして各乾燥容器５に収容した乾燥用函体３は、フォークリフトによって送風用函体１の設置場所まで運搬し、その上に搭載する。この際、送風用函体１に突設してあるストッパー８、８に支持台４を当接することによって、乾燥用函体３は所定の位置に正確に搭載することができる。
【００１８】
しかる後、送風用函体１に接続した図示しないバーナーから送風用函体１内に熱風を吹き込み、熱風を多孔底板５Ａから乾燥容器５内に貫流させることにより植物を乾燥する。そして、目視用開口６から乾燥状態を時々確認し、フォークリフトによって適宜の回数で乾燥用函体３を左右に傾転させることにより、植物を攪拌して均一に乾燥させる。
【００１９】
植物の乾燥が終了したらロックピン７Ａを縦枠材５Ｇから抜き出し、フォークリフトによって乾燥用函体３を矢示イ方向に傾転させることにより、左側板５Ｄが開いて(図４参照)乾燥植物を次工程の粉砕工程に排出することができる。
かくして、植物の乾燥作業は植物を収容した乾燥用函体３のみを作業機によって運搬し、傾転させて攪拌し、また傾転させて乾燥植物を次工程に排出或いは移載することができるから作業効率と安全性に優れている。
【符号の説明】
【００２０】
１      送風用函体
１Ａ    底板
１Ｂ〜１Ｅ  側板
２      バーナー接続口
３      乾燥用函体
４      支持台
４Ｅ    フォーク挿入穴（係着部）
５      乾燥容器
５Ａ    多孔底板
５Ｂ〜５Ｅ  側板
８      ストッパー
【図１】
0003168131.tif 000003
【図２】
0003168131.tif 000004
【図３】
0003168131.tif 000005
【図４】
0003168131.tif 000006